(57)【要約】【課題】  作業が簡単で、短時間で済み、作業性が良く、複数の磁石を安定的に保持でき、構成簡素で、製造や組立が容易に行え、生産性に優れ、コストの低減が図れ、用途が広く、汎用性に優れ、血流が良くなり、肩こりや、ストレスや、不眠等を解消でき、健康増進に役立つ健康増進パッドを提供する。【解決手段】  ベースシートＡと、複数のシート片Ｂと、シート片ＢとベースシートＡの間に形成する複数のポケット１と、ポケット１に収納する複数の磁石Ｃとを備え、シート片Ｂは、左右側縁部分が他のシート片Ｂの左右側縁部分と僅かに重なるよう配し、開口部４となる重合部分からポケット１内に磁石Ｃを収納できるよう形成し、重合部分は、開口縫着線５によってベースシートＡに縫着でき、複数の磁石Ｃを、略縦横の桝目状に配したポケット１に於いて、縦方向及び横方向で夫々一つ置きに配置して構成する。【選択図】図４
0003115107.tif 000002
【実用新案登録請求の範囲】
【請求項１】
一枚のベースシートと、このベースシートの一方の表面に所定向きに揃えた状態で配されると共に、縫着手段によってベースシートに固定される複数のシート片と、このシート片とベースシートの間にあって、且つ縫着手段の縫着線で略縦横の桝目状に区画して形成される複数のポケットと、ポケットに収納される複数の磁石とを備え、複数のシート片は、その左右側縁部分が隣接する他のシート片の左右側縁部分と僅かに重なるように配され、この僅かに重なる重合部分が複数のポケット夫々の開口部となり、この開口部からポケット内に磁石を収納できるよう形成され、隣接するシート片の重合部分は、開口縫着線によってベースシートに縫着できるように構成され、複数の磁石を、略縦横の桝目状に配される複数のポケットに於いて、その縦方向及び横方向で夫々一つ置きに配置するように構成したことを特徴とする磁気を利用した健康増進パッド。
【請求項２】
シート片夫々の左右側縁部分に、ポケット内に折返し状に配される折返部を連設したことを特徴とする請求項１記載の磁気を利用した健康増進パッド。
【考案の詳細な説明】
【技術分野】
【０００１】
本考案は、例えば、枕等の任意の位置に取付けたり、或いは、マットレス等の任意の位置に配置したり、或いは、適宜ベルトや、サポーターや、チョッキや、その他の物品に装着して（或いは、一体的に組み込んで）使用できるようにしたもので、複数の磁石の磁気を利用して、血流を良くし、肩こりや、ストレスや、不眠等を解消して、健康増進に役立つようにした磁気を利用した健康増進パッドに関するものである。
【背景技術】
【０００２】
従来、この種の複数の磁石の磁気を利用した健康増進具としては、種々のものが提案されており、例えば、特許文献１に示すようなマグネット付き枕等が提案されている。
そして、このマグネット付き枕は、枕本体と、該枕本体の表面に圧着テープにより着脱自在に取り付けたマグネットシートとからなるもので、マグネットシートは、上生地及び下生地の間に、芯材を挟み、上生地と芯材の間に円板状の永久磁石を分散して、上生地、下生地及び芯材の全周及び磁石を囲む部分を縫着して構成されたものである。
【０００３】
【特許文献１】特開平７−１２４０４６号公報
【考案の開示】
【考案が解決しようとする課題】
【０００４】
ところが、前述の如きマグネットシートにあっては、永久磁石の磁束密度が高い程、磁石相互に吸着力や反発力が作用したり、或いは、磁石が縫着機（例えば、ミシン）に強く吸着するために、磁石を囲むように上生地、下生地及び芯材を縫着することが困難である（或いは、かなりの労力と時間がかかる）難点等があった。すなわち、作業性が悪く、コスト高となる問題点があった。
【０００５】
そこで、本考案は、前述の如き難点等を解消できるようにすると共に、磁束密度が高い強力な磁石であっても、これらを安定的に保持でき、構成が簡素で、製造や組立が容易に行え、作業性、生産性に優れ、コストの低減が図れ、用途が広く、汎用性に優れ、しかも、血流を良くして、肩こりや、ストレスや、不眠等を解消でき、健康増進に役立つ磁気を利用した健康増進パッドを提供すべく案出されたものである。
【課題を解決するための手段】
【０００６】
しかして、請求項１記載の健康増進パッドＳにあっては、一枚のベースシートＡと、このベースシートＡの一方の表面に所定向きに揃えた状態で配されると共に、縫着手段によってベースシートＡに固定される複数のシート片Ｂと、このシート片ＢとベースシートＡの間にあって、且つ縫着手段の縫着線で略縦横の桝目状に区画して形成される複数のポケット１と、ポケット１に収納される複数の磁石Ｃとを備え、複数のシート片Ｂは、その左右側縁部分が隣接する他のシート片Ｂの左右側縁部分と僅かに重なるように配され、この僅かに重なる重合部分が複数のポケット１夫々の開口部４となり、この開口部４からポケット１内に磁石Ｃを収納できるよう形成され、隣接するシート片Ｂの重合部分は、開口縫着線５によってベースシートＡに縫着できるように構成され、複数の磁石Ｃを、略縦横の桝目状に配される複数のポケット１に於いて、その縦方向及び横方向で夫々一つ置きに配置するように構成する手段を採用した。
【０００７】
また、請求項２記載の健康増進パッドＳにあっては、シート片Ｂ夫々の左右側縁部分に、ポケット１内に折返し状に配される折返部６を連設する手段を採用した。
【考案の効果】
【０００８】
従って、本考案の請求項１記載の健康増進パッドＳによれば、磁石Ｃの磁束密度が高くても、磁石Ｃ相互に吸着力や反発力が作用し難く、磁石Ｃを整然と配置できるようになる。また、開口縫着線５は、直線状となり、磁石Ｃの磁力が縫着機（例えば、ミシン）に強く作用しても、開口縫着線５の縫着がスムーズに行えるようになり、その製造作業が簡単で且つ短時間で済むようになる。すなわち、作業性が良くなり、コストを大幅に低減できるようになる。
【０００９】
更に、磁束密度が高く強力な磁石Ｃを利用しても、これらを安定的に保持できるようになり、しかも、構成が簡素で、製造や組立が容易に行え、作業性、生産性に優れ、コストの低減が図れ、用途が広く、汎用性に優れた健康増進パッドＳとなる。
【００１０】
加えて、複数の磁石Ｃの磁気によって、血流が良くなり、肩こりや、ストレスや、不眠等を解消でき、健康増進に役立つ健康増進パッドＳとなる。
【００１１】
また、本考案の請求項２記載の健康増進パッドＳによれば、シート片Ｂの左右側縁部を補強できるようになると共に、外観上の体裁も良くなる。しかも、開口部４周辺部分の強度や剛性が増し、磁石Ｃのポケット１への収納作業がより行い易くなる。
【考案を実施するための最良の形態】
【００１２】
以下、本考案を説明すると、次の通りである。
本考案の健康増進パッドＳは、例えば、枕（或いは枕カバー）等の任意の位置に取付けたり、或いは、敷布団やマットレスや寝具等の任意の位置に配置したり、或いは、適宜ベルトや、サポーターや、チョッキや、その他の種々の物品（身体に触れるもの等）に装着して（或いは、一体的に組み込んで）使用できるようにしたもので、内装される複数の磁石Ｃ（永久磁石）の磁気を利用して、血流を良くし、肩こりや、ストレスや、不眠等を解消して、健康増進に役立つようにしたものである。
【００１３】
具体的には、本考案の健康増進パッドＳは、適宜寸法、形状に形成される一枚のベースシートＡと、このベースシートＡの一方の表面に所定向きに揃えた状態で配されると共に、縫着手段によってベースシートＡに固定される略帯状の複数のシート片Ｂと、このシート片ＢとベースシートＡの間にあって、且つ縫着手段の縫着線（例えば、縦縫着線２、横縫着線３、開口縫着線５）で略縦横の桝目状に区画して形成される複数のポケット１と、ポケット１に収納される複数の磁石Ｃとを備えたものである。
【００１４】
そして、複数のシート片Ｂは、その左右側縁部分が隣接する他のシート片Ｂの左右側縁部分と僅かに重なるように配されている。すなわち、この僅かに重なる重合部分が複数のポケット１夫々の開口部４となり、この開口部４からポケット１内に磁石Ｃを収納できるよう形成されている。
しかも、隣接するシート片Ｂの重合部分は、開口縫着線５によってベースシートＡに縫着できるように構成されている。すなわち、開口縫着線５によって開口部４が確実に閉じられ、ポケット１内に磁石Ｃが閉じ込められるようになる。
【００１５】
更に、複数の磁石Ｃは、略縦横の桝目状に配される複数のポケット１に於いて、その縦方向及び横方向で夫々一つ置きに配置されるように構成してある。すなわち、磁束密度が高い磁石Ｃを利用した場合であっても、隣合う磁石Ｃの間隔を十分に確保できるようになることで、磁石Ｃ相互の磁着力が弱くなるように配慮してある。
【００１６】
加えて、シート片Ｂ夫々の左右側縁部分には、ポケット１内に折返し状に配される折返部６を連設してある。すなわち、シート片Ｂの左右側縁部を補強すると共に、外観上の体裁が良くなるように構成してある。
【００１７】
更に、ベースシートＡの他方の表面には、枕１０等の任意の位置に着脱自在に取付けできるような面着手段（例えば、面着テープ等の面着部材７）を設けてある。すなわち、枕１０等に簡単に着脱できて、その取扱いが便利となるように構成されている。しかも、利用者の要求に応じて、その取付け位置を自由に変えられ、使い勝手が良くなるように構成してある。
【実施例】
【００１８】
前記ベースシートＡは、例えば、一枚の適宜布地等によって構成されており、枕１０等に良く馴染むように比較的柔らかく形成されたものが利用される。尚、ベースシートＡは、複数の布地等を繋ぎ合わせて一枚に形成したものであっても良いし、その他方の表面に、適宜滑り止め手段を設けるようにしてあっても良い。
【００１９】
前記シート片Ｂは、例えば、略帯状の適宜布地等によって構成されており、枕１０等に良く馴染むように柔らかく、しかも、肌触りが良いものが利用される。尚、シート片Ｂは、ベースシートＡの形状、寸法や、磁石Ｃの寸法や、配置状態等に応じて、その寸法や、形状や、数や、配置状態等が適宜決定されるものである。
【００２０】
ところで、健康増進パッドＳの周縁部分（シート片Ｂを含むベースシートＡの周縁部分）には、例えば、略帯状の周縁補強縁片が縫着されており、健康増進パッドＳの周縁部分を補強すると共に、外観上の体裁がより良くなるように形成してある。
【００２１】
前記磁石Ｃは、例えば、略厚肉円板状を呈する永久磁石によって構成されている。すなわち、開口部４からポケット１内に収納し易く、しかも、身体に当っても、その違和感を低減できるように形成されている。尚、磁石Ｃの磁束密度や、寸法や、配設数等は、その用途や、装着されるもの自体の寸法等によって適宜自由に設定されるものである。
【００２２】
前記ポケット１は、例えば、一辺が開口部４となり、残りの三辺が閉じられた略矩形状を呈し、ミシン等を利用して設けられる適宜縫着線（縦縫着線２、横縫着線３、開口縫着線５）によって、略縦横の桝目状に区画して形成されている。尚、複数のポケット１は、例えば、全体的に湾曲しているような桝目状に区画したものであっても良いし、その他適宜状態に形成できるものである。
【００２３】
前記縦縫着線２は、例えば、磁石Ｃをポケット１に収納する前に、ミシン等によって予め設けられるもので、シート片Ｂの左右側縁に対して平行で、且つシート片Ｂの左右方向略中央に配されている。
【００２４】
前記横縫着線３は、例えば、磁石Ｃをポケット１に収納する前に、ミシン等によって予め設けられるもので、縦縫着部２に対して略直交すると共に縦縫着部２方向に沿って所定間隔毎に複数配されている。
【００２５】
前記開口部４は、例えば、隣接するシート片Ｂの僅かに重なる左右側縁部分に設けられ、この重合部分を手指等によって開くことにより、開口状態となって磁石Ｃをスムーズに収納できるよう形成されている。尚、開口部４は、隣接する一対のポケット１に対して一つだけ設けるようにしたものであっても良く、シート片Ｂの重合状態によって、磁石Ｃをそのままスライドさせて一方のポケット１内に収納せしめても良いし、或いは、一方のポケット１内に磁石Ｃを収納せしめた後に、この磁石Ｃを他方のポケット１にスライド移動せしめるようにして収納しても良い。
【００２６】
前記開口縫着線５は、例えば、磁石Ｃを開口部４からポケット１内に収納した後に、ミシン等によって直線的（或いは、湾曲的であっても良い）に設けられるもので、その部分に並んでいる開口部４を確実に、簡単に、且つ能率良く閉じられるよう設けられたものである。
【００２７】
前記折返部６は、例えば、略細長帯状を呈し、シート片Ｂの裏面がわに折り返されるもので、シート片Ｂの左右端縁部分の補強と外観上の体裁とを良くするために設けられている。尚、折返部６は、シート片Ｂの基片部分に接着して固定しても良いし、縫着して固定しても良い。
【００２８】
前記面着部材７は、例えば、雄雌で一対となっているような面着テープに於いて、その一方の面着テープ等が利用されるように形成してある。そして、他方の面着テープは、枕１０等に固定してあったり、或いは、枕１０等の一部として利用してあったりする。
【００２９】
ところで、健康増進パッドの具体的構成、形状、寸法、材質、ベースシートＡの具体的構成、形状、寸法、材質、シート片Ｂの具体的構成、形状、寸法、材質、数、配設状態、磁石Ｃの具体的構成、形状、寸法、材質、数、配設状態、磁束密度、ポケット１の具体的構成、形状、寸法、数、配設状態、縦縫着線２の具体的構成、形状、寸法、配設位置、縦縫着線２の有無、横縫着線３の具体的構成、形状、寸法、数、配設位置、開口部４の具体的構成、形状、寸法、開口縫着線５の具体的構成、形状、寸法、配設位置、折返部６の具体的構成、形状、寸法、面着部材７の具体的構成、形状、寸法、材質、数、配設位置、枕１０の具体的構成、形状、寸法等は図示例のもの等に限定されることなく適宜自由に設定、変更できるものである。
【図面の簡単な説明】
【００３０】
【図１】本考案の健康増進パッドを例示する斜視図である。
【図２】本考案の健康増進パッドに於いて磁石を収納する前のベースシートとシート片の部分平面図である。
【図３】本考案の健康増進パッドに於いて磁石を収納する前のベースシートとシート片の部分縦断面図である。
【図４】本考案の健康増進パッドを例示する部分平面図である。
【図５】本考案の健康増進パッドを例示する一部切欠部分正面図である。
【符号の説明】
【００３１】
Ｓ    健康増進パッド
Ａ    ベースシート
Ｂ    シート片
Ｃ    磁石
１    ポケット
２    縦縫着線
３    横縫着線
４    開口部
５    開口縫着線
６    折返部
７    面着部材
１０  枕
【図１】
0003115107.tif 000003
【図２】
0003115107.tif 000004
【図３】
0003115107.tif 000005
【図４】
0003115107.tif 000006
【図５】
0003115107.tif 000007